(57)【要約】      （修正有）【課題】潤滑油の供給先を切替可能なオイル経路切り替え装置を提供する。【解決手段】所定の軸線に沿って延伸する軸穴１４と、軸穴から外部まで延伸して開口する第１の導出路１６Ａ及び第２の導出路１６Ｂと、が内部に形成された本体１０と、中空の管状に形成され、軸線に沿って、軸穴１４内において本体に対して可動的に配置されると共に、第１の導出路に対応する第１の導出穴セット２５Ａ及び第２の導出路に対応する第２の導出穴セット２５Ｂと、が配置された切替管２０と、を備える。【選択図】図２
0003222343.tif 000002
【実用新案登録請求の範囲】
【請求項１】
オイル進入路と、前記オイル進入路の一側に形成されて所定の軸線に沿って延伸する軸穴と、前記オイル進入路と前記軸穴との両方に連通する案内路と、前記軸穴から外部まで延伸して開口する第１の導出路及び第２の導出路と、が内部に形成された本体と、
中空の管状に形成され、前記軸線に沿って、前記軸穴内において前記本体に対して可動的に配置されると共に、前記案内路と連通する案内穴と、前記第１の導出路に対応する第１の導出穴セット及び前記第２の導出路に対応する第２の導出穴セットと、が配置された切替管と、を備え、
前記第１の導出穴セット及び前記第２の導出穴セットは、前記切替管の前記本体に対する動きに応じて、前記第１の導出路が前記第１の導出穴セットに連通し、そして前記第２の導出路が前記第２の導出穴セットに連通する全通位置と、前記第１の導出路が前記第１の導出穴セットに連通し、前記第２の導出路が前記第２の導出穴セットに連通しない第１の単通位置と、前記第１の導出路が前記第１の導出穴セットに連通せず、前記第２の導出路が前記第２の導出穴セットに連通する第２の単通位置と、に切り替えることができるオイル経路切り替え装置。
【請求項２】
前記切替管に形成された前記案内穴と前記第１の導出穴セット及び前記第２の導出穴セットは、いずれも前記切替管の内周面から外周面まで延伸して該中空の管状を貫通しており、
そして前記案内穴と前記第１の導出穴セット及び前記第２の導出穴セットが前記切替管に形成された位置は、前記切替管の前記軸穴内における前記軸線を回転軸とした回転運動によって、前記全通位置と前記第１の単通位置と前記第２の単通位置との間の切替が成されるように配置されていることを特徴とする請求項１に記載のオイル経路切り替え装置。
【請求項３】
前記切替管と共に回転可能に前記切替管に取り付けられている作動ユニットと、揺動可能に前記本体に枢支されている係止ユニットと、を更に備え、
前記係止ユニットは、前記本体に枢支される枢支端部と、該枢支端部の反対側にある自由端部とを有しており、
前記作動ユニットは、前記軸線を中心とする連動周面を有し、該連動周面にはそれぞれ前記全通位置と前記第１の単通位置と前記第２の単通位置とにおける１つに対応する位置において、前記係止ユニットの前記自由端部を受け入れることができるように形成された３つの受入スロットが形成されており、前記３つの受入スロットにおけるいずれか１つが前記係止ユニットの前記自由端部を受け入れると、前記切替管は前記全通位置または前記第１の単通位置または前記第２の単通位置のいずれか１つに係止されることを特徴とする請求項２に記載のオイル経路切り替え装置。
【請求項４】
前記切替管に形成された前記案内穴と前記第１の導出穴セット及び前記第２の導出穴セットは、いずれも前記切替管の内周面から外周面まで延伸して該中空の管状を貫通しており、
そして前記案内穴と各前記第１の導出穴セット及び前記第２の導出穴セットが前記切替管に形成された位置は、前記切替管の前記軸穴内における前記軸線に沿った往復運動によって、前記全通位置と前記第１の単通位置と前記第２の単通位置との間の切替が成されるように配置されていることを特徴とする請求項１に記載のオイル経路切り替え装置。
【請求項５】
前記軸線に沿って、前記切替管の両端側からの付勢力を前記切替管に与えるよう、前記切替管と前記本体との間に取り付けられている２つのバネユニットと、前記切替管の両端側から前記切替管を前記軸線に沿って動かすことができる２つの第２の作動ユニットと、を更に備え、
前記２つの第２の作動ユニットと前記２つのバネユニットの協働することにより、前記切替管を前記軸線に沿って動かして前記切替管の前記全通位置と前記第１の単通位置と前記第２の単通位置との間に切り替える、ことを特徴とする請求項４に記載のオイル経路切り替え装置。
【請求項６】
前記第２の作動ユニットは空気圧シリンダであることを特徴とする請求項５に記載のオイル経路切り替え装置。
【請求項７】
ベースと、
第１の所定方向に沿って延伸するように前記ベースに配置されたレールと、
前記ベースに取り付けられると共に、前記第１の所定方向と平行に延伸するガイドボルトと、
前記ガイドボルトに螺合されているナットと、
前記ナットに接続されている可動台と、
請求項１に記載のオイル経路切り替え装置と、を備えたレールシステムであって、
前記オイル経路切り替え装置の前記本体は前記可動台に取り付けられており、
前記可動台には、第１の連通路及び第２の連通路が形成されており、
前記第１の連通路は、前記本体に形成された前記第１の導出路と前記レールとにそれぞれ向かって開口しており、
前記第２の連通路は、前記本体に形成された前記第２の導出路と前記ガイドボルトとにそれぞれ向かって開口していることを特徴とするレールシステム。
【考案の詳細な説明】
【技術分野】
【０００１】
本考案は、潤滑油の供給先を切替可能なオイル経路切り替え装置及び該オイル経路切り替え装置を備えたレールシステムに関する。
【背景技術】
【０００２】
特許文献１に記載されるリニア伝動モジュールは、レール座と、該レール座に枢支されているボルトと、該レール座に固定されている案内手段と、可動的に該案内手段に取り付けられているスライディングブロックと、該ボルトに螺合されていると共に該スライディングブロックに接続されているスライディングベースと、該スライディングベースの一側に取り付けられている潤滑油供給装置と、を有しており、該潤滑油供給装置は、メイン供給路及び該メイン供給路と連通するサブ供給路が形成され、該メイン供給路及びサブ供給路を用いて、該ボルトと前記該スライディングベースとの間と、該スライディングブロックと該案内手段との間のそれぞれに対して作動をサポートする潤滑油を供給する構成になっている。
【先行技術文献】
【特許文献】
【０００３】
【特許文献１】台湾実用新案登録第Ｍ５４９２８７号明細書
【考案の概要】
【考案が解決しようとする課題】
【０００４】
しかし、上記リニア伝動モジュールが有する潤滑油供給装置の構成では、該ボルトと前記該スライディングベースとの間と、該スライディングブロックと該案内手段との間のそれぞれに対して潤滑油を供給することができても、そのどちらか一方のみに対して供給することができないので、潤滑油の供給量に過不足が発生しやすい問題点がある。
上記従来技術の問題点に鑑みて、本考案は、オイルの供給経路を切り替えられ、潤滑油の供給量を調節することができるオイル経路切り替え装置及び該オイル経路切り替え装置を備えたレールシステムを提供することを目的とする。
【課題を解決するための手段】
【０００５】
上記目的を達成すべく、本考案は、オイル進入路と、前記オイル進入路の一側に形成されて所定の軸線Ｌに沿って延伸する軸穴と、前記オイル進入路と前記軸穴との両方に連通する案内路と、前記軸穴から外部まで延伸して開口する第１の導出路及び第２の導出路と、が内部に形成された本体と、中空の管状に形成され、前記軸線Ｌに沿って、前記軸穴内において前記本体に対して可動的に配置されると共に、前記案内路と連通する案内穴と、前記第１の導出路に対応する第１の導出穴セット及び前記第２の導出路に対応する第２の導出穴セットと、が配置された切替管と、を備え、前記第１の導出穴セット及び前記第２の導出穴セットは、前記切替管の前記本体に対する動きに応じて、前記第１の導出路が前記第１の導出穴セットに連通し、そして前記第２の導出路が前記第２の導出穴セットに連通する全通位置と、前記第１の導出路が前記第１の導出穴セットに連通し、前記第２の導出路が前記第２の導出穴セットに連通しない第１の単通位置と、前記第１の導出路が前記第１の導出穴セットに連通せず、前記第２の導出路が前記第２の導出穴セットに連通する第２の単通位置と、に切り替えることができるオイル経路切り替え装置を提供する。
【０００６】
また、本考案は、ベースと、第１の所定方向に沿って延伸するように前記ベースに配置されたレールと、前記ベースに取り付けられると共に、前記第１の所定方向と平行に延伸するガイドボルトと、前記ガイドボルトに螺合されているナットと、前記ナットに接続されている可動台と、請求項１に記載のオイル経路切り替え装置と、を備えたレールシステムであって、前記オイル経路切り替え装置の前記本体は前記可動台に取り付けられており、前記可動台には、第１の連通路及び第２の連通路が形成されており、前記第１の連通路は、前記本体に形成された前記第１の導出路と前記レールとにそれぞれ向かって開口しており、前記第２の連通路は、前記本体に形成された前記第２の導出路と前記ガイドボルトとにそれぞれ向かって開口していることを特徴とするレールシステムをも提供する。
【考案の効果】
【０００７】
上記構成により、本考案のオイル経路切り替え装置は、前記切替管の前記本体に対する動きに応じて、前記第１の導出路が前記第１の導出穴セットに連通すると共に前記第２の導出路が前記第２の導出穴セットにも連通する全通位置と、前記第１の導出路が前記第１の導出穴セットに連通し、前記第２の導出路が前記第２の導出穴セットに連通しない第１の単通位置と、前記第１の導出路が前記第１の導出穴セットに連通せず、前記第２の導出路が前記第２の導出穴セットに連通する第２の単通位置と、に切り替えることができるので、潤滑油の供給先を的確に調整して潤滑油を過不足なく供給することができる。
【図面の簡単な説明】
【０００８】
【図１】本考案の第１の実施形態のオイル経路切り替え装置を備えた本考案のレールシステムの外部構成が示される斜視図である。
【図２】本考案の第１の実施形態のオイル経路切り替え装置の構成が示される分解図である。
【図３】本考案の第１の実施形態のオイル経路切り替え装置の構成が示される断面図である。
【図４】本考案の第１の実施形態のオイル経路切り替え装置の作動法が示される断面図である。
【図５】本考案の第１の実施形態のオイル経路切り替え装置の全通位置において第１の導出穴セットの状態が示される断面図である。
【図６】本考案の第１の実施形態のオイル経路切り替え装置の全通位置において第２の導出穴セットの状態が示される断面図である。
【図７】本考案の第１の実施形態のオイル経路切り替え装置の第１の単通位置において第１の導出穴セットの状態が示される断面図である。
【図８】本考案の第１の実施形態のオイル経路切り替え装置の第１の単通位置において第２の導出穴セットの状態が示される断面図である。
【図９】本考案の第１の実施形態のオイル経路切り替え装置の第２の単通位置において第１の導出穴セットの状態が示される断面図である。
【図１０】本考案の第１の実施形態のオイル経路切り替え装置の第２の単通位置において第２の導出穴セットの状態が示される断面図である。
【図１１】本考案の第２の実施形態のオイル経路切り替え装置を備えた本考案のレールシステムの外部構成が示される斜視図である。
【図１２】本考案の第２の実施形態のオイル経路切り替え装置の構成が示される分解図である。
【図１３】本考案の第２の実施形態のオイル経路切り替え装置の構成（全通位置）が示される断面図である。
【図１４】本考案の第２の実施形態のオイル経路切り替え装置の全通位置が示される断面図である。
【図１５】本考案の第２の実施形態のオイル経路切り替え装置の第１の単通位置が示される断面図である。
【図１６】本考案の第２の実施形態のオイル経路切り替え装置の第２の単通位置が示される断面図である。
【考案を実施するための形態】
【０００９】
以下、各図面を参照して本考案のオイル経路切り替え装置及び該オイル経路切り替え装置を備えたレールシステムの各好ましい実施形態について詳しく説明する。
図１は本考案の第１の実施形態のオイル経路切り替え装置を備えた本考案のレールシステムの外部構成が示される斜視図であり、図２は本考案の第１の実施形態のオイル経路切り替え装置の構成が示される分解図である。
【００１０】
図示のように、本考案のレールシステムは、ベース１と、第１の所定方向Ｘに沿って延伸するようにベース１に配置されたレール２と、ベース１に取り付けられると共に、第１の所定方向Ｘと平行に延伸するガイドボルト３と、ガイドボルト３に螺合されているナット４と、ナット４に接続されている可動台５と、を有している。
【００１１】
また、図２に示すように、レール２は、レール座２０１及びレール座２０１を跨るように該レール座２０１に配置されているスライディングブロック２０２とを有し、そして可動台５はナット４に接続されていると共に、スライディングブロック２０２にも接続されている。
可動台５には、ガイドボルト３とナット４との間の空間に連通する第１の連通路５０１Ａ、及びレール２のスライディングブロック２０２とレール座２０１と間の空間に連通する第２の連通路５０１Ｂが形成されている。
【００１２】
該レールシステムに用いられる本考案の第１の実施形態のオイル経路切り替え装置１００は、本体１０と、切替管２０と、２つの作動ユニット３０と、２つの係止ユニット４０とを備えている。
【００１３】
このオイル経路切り替え装置１００において、本体１０は長方体に形成されていると共に、該長方体の長さ方向が第１の所定方向Ｘと直交するように可動台５の第１の所定方向Ｘの一側に取り付けられ、可動台５に臨む内側面１１と内側面１１の反対側にある外側面１２とを有している。
【００１４】
本体１０の内部には、第１の所定方向Ｘと直交する第２の所定方向Ｙに沿って延伸し、内側面１１と外側面１２との間に位置するオイル進入路１３と、オイル進入路１３と内側面１１との間に位置し、且つ、第１の所定方向Ｘと略直交する所定の軸線Ｌに沿って延伸する軸穴１４と、オイル進入路１３と軸穴１４との両方に連通する案内路１５と、軸穴１４から内側面１１に延伸して開口する第１の導出路１６Ａ及び第２の導出路１６Ｂと、が形成されている。更に、オイル進入路１３の両端には潤滑油を注入する注油ノズル１７がそれぞれ取り付けられており、そして第１の導出路１６Ａは可動台５に形成された第１の連通路５０１Ａに連通し、第２の導出路１６Ｂは可動台５に形成された第２の連通路５０１Ｂに連通する。
【００１５】
図３は図１におけるIII-III線の断面図であり、図４は図３におけるIV-IV線の断面図である。図３と図４に示されているように、切替管２０は軸線Ｌに沿って延伸する中心孔２２１を囲むように中空の管状に形成され、中心孔２２１に臨む内周面２２と、内周面２２の反対側にある外周面２３とを有している。このように形成された切替管２０は軸線Ｌに沿って、軸穴１４内において本体１０に対して可動的、即ち、軸線Ｌを回転軸として本体１０に対して回転可能に配置されている。更に、切替管２０の軸線Ｌに沿った両端には、それぞれ角柱部２１が突起するように形成されていると共に、外周面２３から内周面２２まで貫通して案内路１５と連通する案内穴２４と、第１の導出路１６Ａに対応して外周面２３から内周面２２まで貫通する第１の導出穴セット２５Ａ及び第２の導出路１６Ｂに対応して外周面２３から内周面２２まで貫通するする第２の導出穴セット２５Ｂと、が配置されている。更に、案内穴２４の外周面２３に開口する箇所の周りには、外周面２３に凹設されている環状溝２４１が形成されている。
【００１６】
図５は図４におけるV-V線の断面図であり、図６は図４におけるVI-VI線の断面図である。
【００１７】
図５に示されているように、第１の導出穴セット２５Ａは、切替管２０の内周面２２から外周面２３まで延伸する２本の第１の導出穴２５１Ａ、２５２Ａ有し、該２本の第１の導出穴２５１Ａは、互いに軸線Ｌを中心とする９０°の中心角を成すように形成されている。
【００１８】
一方、図６に示されているように、第２の導出穴セット２５Ｂは、切替管２０の内周面２２から外周面２３まで延伸する２本の第２の導出穴２５１Ｂ、２５２Ｂ有し、該２本の第２の導出穴２５１Ｂは、互いに軸線Ｌを中心とする１８０°の中心角を成すように形成されている。ちなみに、この実施形態において、第１の導出穴２５１Ａと第２の導出穴２５１Ｂとは互いに平行となるように形成されている。
【００１９】
この実施形態における２つの作動ユニット３０は、円盤状に形成されると共に中心に切替管２０の角柱部２１を受け入れられる嵌合孔３２が形成され、切替管２０と共に回転可能に切替管２０の両端にある２つの角柱部２１にそれぞれ取り付けられている。各作動ユニット３０は、いずれも軸線Ｌを中心とする連動周面３１を有し、該連動周面３１にはそれぞれ前記全通位置と前記第１の単通位置と前記第２の単通位置とにおける１つに対応する位置に形成される３つの受入スロット３２が形成されている。ちなみに、作動ユニット３０はネジ６０により切替管２０の角柱部２１に固定され、そしてネジ６０には切替管２０の中心孔２２１の両端にある開口を覆う効果をも発揮する。
【００２０】
２つの係止ユニット４０は、揺動可能に本体１０に枢支され、本体１０に枢支される枢支端部４１と、該枢支端部４１の反対側にある自由端部４２とを有している。
【００２１】
切替管２０と、２つの作動ユニット３０と、２つの係止ユニット４０は、切替管２０及び２つの作動ユニット３０が本体１０に対して回転運動する際、前記全通位置と前記第１の単通位置と前記第２の単通位置とにそれぞれ到達する状態において、２つの係止ユニット４０のそれぞれの自由端部４２が２つの作動ユニット３０にそれぞれ形成される受入スロット３２に嵌め込んで切替管２０と２つの作動ユニット３０の本体１０に対して回転運動を係止できるように配置構成されている。
【００２２】
即ち、作動ユニット３０は、係止ユニット４０の自由端部４２を受け入れることができるように形成された３つの受入スロット３２が形成されており、３つの受入スロット３２におけるいずれか１つが対応の係止ユニット４０の自由端部４２を受け入れると、切替管２０は前記全通位置または前記第１の単通位置または前記第２の単通位置のいずれか１つに係止される。
【００２３】
以下は図５〜図１０を参照して、全通位置と第１の単通位置と第２の単通位置とにおける各通路の連通関係について詳しく説明する。
【００２４】
図５は本考案の第１の実施形態のオイル経路切り替え装置１００の全通位置において第１の導出穴セットの状態が示される断面図であり、図６は本考案の第１の実施形態のオイル経路切り替え装置の全通位置において第２の導出穴セットの状態が示される断面図である。
【００２５】
切替管２０の本体１０に対する回転運動により、切替管２０が全通位置に到達し、係止ユニット４０の自由端部４２が作動ユニット３０の全通位置に対応する受入スロット３２に嵌め込まれる際、図５に示されているように、第１の導出路１６Ａが第１の導出穴セット２５Ａの第１の導出穴２５１Ａに連通し、そして図６に示されるように、第２の導出路１６Ｂが第２の導出穴セット２５Ｂの第２の導出穴２５１Ｂに連通する。
【００２６】
従って、注油ノズル１７から注入される潤滑油は、オイル進入路１３から案内路１５、案内穴２４、そして第１の導出穴セット２５Ａ及び第２の導出穴セット２５Ｂを経由して、第１の導出路１６Ａ及び第２の導出路１６Ｂに注入され、それから第１の導出路１６Ａより可動台５に形成された第１の連通路５０１Ａを経由してガイドボルト３とナット４との間の空間に加えて、第２の導出路１６Ｂより可動台５に形成された第２の連通路５０１Ｂを経由してレール２のスライディングブロック２０２とレール座２０１と間の空間にそれぞれ供給される。
【００２７】
図７は本考案の第１の実施形態のオイル経路切り替え装置の第１の単通位置において第１の導出穴セットの状態が示される断面図であり、図８は本考案の第１の実施形態のオイル経路切り替え装置の第１の単通位置において第２の導出穴セットの状態が示される断面図である。
【００２８】
切替管２０の本体１０に対する回転運動により、切替管２０が第１の単通位置に到達し、係止ユニット４０の自由端部４２が作動ユニット３０の第１の単通位置に対応する受入スロット３２に嵌め込まれる際、図７に示されているように、第１の導出路１６Ａが第１の導出穴セット２５Ａの第１の導出穴２５２Ａに連通し、そして図８に示されているように、第２の導出路１６Ｂが第２の導出穴セット２５Ｂの全ての導出穴に連通しないようになっている。
【００２９】
従って、注油ノズル１７から注入される潤滑油は、オイル進入路１３から案内路１５、案内穴２４、そして第１の導出穴セット２５Ａを経由して第１の導出路１６Ａに注入され、それから第１の導出路１６Ａより可動台５に形成された第１の連通路５０１Ａを経由してガイドボルト３とナット４との間の空間に供給される。
【００３０】
図９は本考案の第１の実施形態のオイル経路切り替え装置の第２の単通位置において第１の導出穴セットの状態が示される断面図であり、図１０は本考案の第１の実施形態のオイル経路切り替え装置の第２の単通位置において第２の導出穴セットの状態が示される断面図である。
【００３１】
切替管２０の本体１０に対する回転運動により、切替管２０が第２の単通位置に到達し、係止ユニット４０の自由端部４２が作動ユニット３０の第２の単通位置に対応する受入スロット３２に嵌め込まれる際、図９に示されているように、第１の導出路１６Ａが第１の導出穴セット２５Ａの全ての導出穴に連通せず、そして図１０に示されているように、第２の導出路１６Ｂが第２の導出穴セット２５Ｂの第２の導出穴２５２Ｂに連通する。
【００３２】
従って、注油ノズル１７から注入される潤滑油は、オイル進入路１３から案内路１５、案内穴２４、そして第２の導出穴セット２５Ｂを経由して第２の導出路１６Ｂに注入され、それから第２の導出路１６Ｂより可動台５に形成された第２の連通路５０１Ｂを経由してレール２のスライディングブロック２０２とレール座２０１と間の空間に供給される。
【００３３】
このように、本考案の第１の実施形態のオイル経路切り替え装置は、切替管２０の本体１０に対する回転運動に応じて、第１の導出路１６Ａが第１の導出穴セット２５Ａに連通し、そして第２の導出路１６Ｂが第２の導出穴セット２５Ｂに連通する全通位置（図５、図６参照）と、第１の導出路１６Ａが第１の導出穴セット２５Ａに連通し、第２の導出路１６Ｂが第２の導出穴セット２５Ｂに連通しない第１の単通位置（図７、図８参照）と、第１の導出路１６Ａが第１の導出穴セット２５Ａに連通せず、第２の導出路１６Ｂが第２の導出穴セット２５Ｂに連通する第２の単通位置（図９、図１０参照）と、に切り替えることができるので、潤滑油の供給先を的確に調整して潤滑油を過不足なく供給することができる。
【００３４】
ちなみに、本考案の第１の実施形態において、切替管２０と作動ユニット３０と係止ユニット４０とは、手動により駆動されるが、これに限定されることなく、電磁弁もしくはサーボモータを用いてギアセットなとを経由して制御するように構成することも可能である。
【００３５】
次いで、図１１〜図１４を用いて、本考案の第２の実施形態のオイル経路切り替え装置について説明する。図１１は本考案の第２の実施形態のオイル経路切り替え装置を備えた本考案のレールシステムの外部構成が示される斜視図である。
【００３６】
図１１は本考案の第２の実施形態のオイル経路切り替え装置を備えた本考案のレールシステムの外部構成が示される斜視図であり、図１２は本考案の第２の実施形態のオイル経路切り替え装置の構成が示される分解図であり、図１３は本考案の第１の実施形態のオイル経路切り替え装置の構成（全通位置）が示される断面図である。
【００３７】
図示のように、本考案の第２の実施形態のオイル経路切り替え装置を備えたレールシステムは、同じくベース１と、第１の所定方向Ｘに沿って延伸するようにベース１に配置されたレール２と、ベース１に取り付けられると共に、第１の所定方向Ｘと平行に延伸するガイドボルト３と、ガイドボルト３に螺合されているナット４と、ナット４に接続されている可動台５と、を有している。このため、詳しい説明を省略する。
【００３８】
本考案の第２の実施形態のオイル経路切り替え装置２００は、本体１０と、切替管２０と、２つの第２の作動ユニット３０´と、切替管２０と本体１０との間にそれぞれ介在する２つのバネユニット５０と、を備えている。
【００３９】
この第２の実施形態のオイル経路切り替え装置２００において、本体１０は第１の実施形態と同じく可動台５に臨む内側面１１と内側面１１の反対側にある外側面１２とを有し、そして内部には、オイル進入路１３と、軸穴１４と、案内路１５と、可動台５に形成された第１の連通路５０１Ａに連通する第１の導出路１６Ａ及び可動台５に形成された第２の連通路５０１Ｂに連通する第２の導出路１６Ｂと、が形成されている。更に、オイル進入路１３の両端には潤滑油を注入する注油ノズル１７がそれぞれ取り付けられている。
【００４０】
この第２の実施形態のオイル経路切り替え装置２００における切替管２０に関しては、第１の実施形態と同じく中心孔２２１を囲むように中空の管状に形成され、中心孔２２１に臨む内周面２２と、内周面２２の反対側にある外周面２３とを有している。このように形成された切替管２０は、軸穴１４内において本体１０に対し、軸線Ｌに沿った往復運動を行うことができるように配置されている。
【００４１】
この第２の実施形態のオイル経路切り替え装置２００における切替管２０には、外周面２３から内周面２２まで貫通して案内路１５と連通する案内穴２４と、第１の導出路１６Ａに対応して外周面２３から内周面２２まで貫通する第１の導出穴セット２５Ａ及び第２の導出路１６Ｂに対応して外周面２３から内周面２２まで貫通するする第２の導出穴セット２５Ｂと、が配置されているが、第１の導出穴セット２５Ａ及び第２の導出穴セット２５Ｂは、いずれも軸線Ｌに平行に延伸する長孔に形成されている。
【００４２】
この第２の実施形態のオイル経路切り替え装置２００における２つの第２の作動ユニット３０´は、切替管２０の両端側から切替管２０を軸線Ｌに沿って往復するように動かすことができる空気圧シリンダであり、そして切替管２０と第２の作動ユニット３０´との間に介在する２つのバネユニット５０は、切替管２０の両端側からの付勢力を切替管２０に与えるよう、切替管と前記本体との間に取り付けられている。
【００４３】
図１４は図１３におけるＸＩＶ−ＸＩＶ線の断面図であると共に、本考案の第２の実施形態のオイル経路切り替え装置２００の全通位置が示される断面図でもあり、図１５は本考案の第２の実施形態のオイル経路切り替え装置２００の第１の単通位置が示される断面図であり、図１６は本考案の第２の実施形態のオイル経路切り替え装置２００の第２の単通位置が示される断面図である。
【００４４】
図示のように、本考案の第２の実施形態のオイル経路切り替え装置２００において、第２の作動ユニット３０´により駆動されて軸線Ｌに沿って往復するよう移動する切替管２０に形成された第１の導出穴セット２５Ａ及び第２の導出穴セット２５Ｂと、本体１０に形成された第１の導出路１６Ａ及び第２の導出路１６Ｂは、切替管２０の軸線Ｌに沿った往復移動に応じて、図１３及び図１４に示される全通位置と、図１５に示される第１の単通位置と、図１６に示される第２の単通位置と、に切り替えることができる。
【００４５】
図１３及び図１４に示されるように、２つの第２の作動ユニット３０´（空気圧シリンダ）に対して空気を注入すると、切替管２０は中央にある全通位置に移動され、この全通位置では第１の導出穴セット２５Ａが第１の導出路１６Ａと連通し、そして第２の導出穴セット２５Ｂが第１の導出路１６Ｂと連通するので、注油ノズル１７から注入される潤滑油は、第１の導出路１６Ａより可動台５に形成された第１の連通路５０１Ａを経由してガイドボルト３とナット４との間の空間と、第２の導出路１６Ｂより可動台５に形成された第２の連通路５０１Ｂを経由してレール２のスライディングブロック２０２とレール座２０１と間の空間と、にそれぞれ供給される。
【００４６】
図１５に示されるように、右側にある第２の作動ユニット３０´に対して空気を注入し、そして左側にある第２の作動ユニット３０´に対して空気を注入しない場合、切替管２０は左側にある第１の単通位置に移動され、この第１の単通位置では第１の導出穴セット２５Ａが第１の導出路１６Ａと連通し、そして第２の導出穴セット２５Ｂが第１の導出路１６Ｂと連通しないので、注油ノズル１７から注入される潤滑油は、第１の導出路１６Ａより可動台５に形成された第１の連通路５０１Ａを経由してガイドボルト３とナット４との間の空間に供給される。
【００４７】
図１６に示されるように、左側にある第２の作動ユニット３０´に対して空気を注入し、そして右側にある第２の作動ユニット３０´に対して空気を注入しない場合、切替管２０は右側にある第２の単通位置に移動され、この第２の単通位置では第１の導出穴セット２５Ａが第１の導出路１６Ａと連通せず、そして第２の導出穴セット２５Ｂが第１の導出路１６Ｂと連通するので、注油ノズル１７から注入される潤滑油は、第２の導出路１６Ｂより可動台５に形成された第２の連通路５０１Ｂを経由してレール２のスライディングブロック２０２とレール座２０１と間の空間に供給される。
【００４８】
このように、本考案の第２の実施形態のオイル経路切り替え装置２００は、切替管２０の本体１０に対する回転運動に応じて、第１の導出路１６Ａが第１の導出穴セット２５Ａに連通し、そして第２の導出路１６Ｂが第２の導出穴セット２５Ｂに連通する全通位置（図１３、図１４参照）と、第１の導出路１６Ａが第１の導出穴セット２５Ａに連通し、第２の導出路１６Ｂが第２の導出穴セット２５Ｂに連通しない第１の単通位置（図１５参照）と、第１の導出路１６Ａが第１の導出穴セット２５Ａに連通せず、第２の導出路１６Ｂが第２の導出穴セット２５Ｂに連通する第２の単通位置（図１６参照）と、に切り替えることができるので、潤滑油の供給先を的確に調整して潤滑油を過不足なく供給することができる。
【００４９】
ちなみに、本考案の第２の実施形態において、第２の作動ユニット３０´としては空気圧シリンダが用いられているが、これに限定されることなく、電磁弁もしくはサーボモータを用いてギアセット等を経由して駆動するように構成することも可能である。
【００５０】
以上の説明は、本考案の実施例に過ぎず、これを以って実用新案登録請求の範囲を限定するものではない。また、本考案の実用新案登録請求の範囲及び明細書の内容に簡単な付加や変化を加えたに過ぎないものについても、実用新案登録請求の範囲に記載された考案の技術的範囲に属するものとする。
【産業上の利用可能性】
【００５１】
上記構成により、本考案のオイル経路切り替え装置は、前記切替管の前記本体に対する動きに応じて、前記第１の導出路が前記第１の導出穴セットに連通し、そして前記第２の導出路が前記第２の導出穴セットに連通する全通位置と、前記第１の導出路が前記第１の導出穴セットに連通し、前記第２の導出路が前記第２の導出穴セットに連通しない第１の単通位置と、前記第１の導出路が前記第１の導出穴セットに連通せず、前記第２の導出路が前記第２の導出穴セットに連通する第２の単通位置と、に切り替えることができるので、潤滑油の供給先を的確に調整して潤滑油を過不足なく供給することができる。レールシステムなど潤滑油の供給先が複数ある場合には特に有用である。
【符号の説明】
【００５２】
１        ベース
１０      本体
１００    第１の実施形態のオイル経路切り替え装置
１１      内側面
１２      外側面
１３      オイル進入路
１４      軸穴
１５      案内路
１６Ａ    第１の導出路
１６Ｂ    第２の導出路
１７      注油ノズル
２        レール
２０      切替管
２０１    レール座
２０２    スライディングブロック
２１      角柱部
２２      内周面
２２１    中心孔
２３      外周面
２４      案内穴
２４１    環状溝
２５１Ａ、２５２Ａ    第１の導出穴
２５１Ｂ、２５２Ｂ    第２の導出穴
２５Ａ    第１の導出穴セット
２５Ｂ    第２の導出穴セット
３        ガイドボルト
３０      作動ユニット
３０´    第２の作動ユニット
３１      連動周面
３２      嵌合孔
４        ナット
４０      係止ユニット
４１      枢支端部
４２      自由端部
５        可動台
５０      バネユニット
５０１Ａ  第１の連通路
５０１Ｂ  第２の連通路
６０      ネジ
Ｘ        第１の所定方向
【図１】
0003222343.tif 000003
【図２】
0003222343.tif 000004
【図３】
0003222343.tif 000005
【図４】
0003222343.tif 000006
【図５】
0003222343.tif 000007
【図６】
0003222343.tif 000008
【図７】
0003222343.tif 000009
【図８】
0003222343.tif 000010
【図９】
0003222343.tif 000011
【図１０】
0003222343.tif 000012
【図１１】
0003222343.tif 000013
【図１２】
0003222343.tif 000014
【図１３】
0003222343.tif 000015
【図１４】
0003222343.tif 000016
【図１５】
0003222343.tif 000017
【図１６】
0003222343.tif 000018